(57)【要約】【課題】ロケータの位置を容易に特定することができる携帯端末を提供すること。【解決手段】携帯端末１００は、ロケータから送信された無線信号を受信する無線部１３０と、受信された無線信号の受信信号強度を測定するＲＳＳＩ検知部１５０と、測定された受信信号強度に基づいて、無線部１３０とロケータとの間の距離のレベルを示す距離情報を決定する距離情報決定部２１１と、決定された距離情報を出力する報知部２４０とを備える。【選択図】図４
2014077699.tif 000002
【特許請求の範囲】
【請求項１】
ロケータから送信された無線信号を受信する無線部と、
受信された前記無線信号の受信信号強度を測定するＲＳＳＩ検知部と、
測定された前記受信信号強度に基づいて、前記無線部と前記ロケータとの間の距離のレベルを示す距離情報を決定する距離情報決定部と、
決定された前記距離情報を出力する報知部と、を備える、
携帯端末。
【請求項２】
前記受信信号強度のレベルと前記距離情報とを対応付けた距離情報テーブルを格納する距離情報テーブル格納部、を更に備え、
前記距離情報決定部は、
前記距離情報テーブルを参照して、測定された前記受信信号強度に対応する前記距離情報を決定する、
請求項１記載の携帯端末。
【請求項３】
前記距離情報は、前記距離のレベルの差異をテキストあるいは図形の差異により示す画像情報であり、
前記報知部は、
前記画像情報を画面に表示する、
請求項２記載の携帯端末。
【請求項４】
前記距離情報は、前記距離のレベルの差異を音声の差異により示す音情報であり、
前記報知部は、
前記音情報を出力する、
請求項２記載の携帯端末。
【請求項５】
前記距離情報は、前記距離のレベルの差異をテキストあるいは図形の差異により示す画像情報と、前記距離のレベルの差異を音声の差異により示す音情報と、を含み、
ユーザから操作を受け付ける操作部と、
前記操作部を介して、前記ユーザから、前記距離情報の出力を、前記画像情報の画面表示によって行うか、前記音情報の出力によって行うか、または両方によって行うかの選択を受け付ける出力選択部、を更に備え、
前記報知部は、
前記出力選択部が受け付けた選択に従って前記距離情報を出力する、
請求項２記載の携帯端末。
【請求項６】
ユーザから操作を受け付ける操作部と、
前記操作部を介して、ユーザから、前記ロケータにおいて鳴動を行うか否かの選択を受け付け、受け付けた前記選択を示す指示情報を、前記無線部を介して、前記ロケータへ送信するロケータ動作選択部と、を更に備える、
請求項２記載の携帯端末。
【請求項７】
前記報知部は、
ユーザから前記ロケータにおいて鳴動を行わない選択を受け付けた状態では、前記距離のレベルの差異を示す音情報を出力しない、
請求項６記載の携帯端末。
【請求項８】
前記ロケータの識別情報を予め格納するロケータ情報記憶部と、
格納された前記識別情報の選択肢を表示する表示部と、
ユーザから操作を受け付ける操作部と、
前記操作部を介して、前記ユーザから、前記識別情報の選択を受け付けるロケータ選択部と、を更に備え、
前記報知部は、
選択された前記識別情報に対応する前記ロケータについての前記距離情報を出力する、
請求項２記載の携帯端末。
【請求項９】
ロケータと携帯端末とを含む無線通信システムであって、
前記ロケータは、無線信号を送信するロケータ無線部を備え、
前記携帯端末は、
前記ロケータから送信された前記無線信号を受信する無線部と、
受信された前記無線信号の受信信号強度を測定するＲＳＳＩ検知部と、
測定された前記受信信号強度に基づいて、前記無線部と前記ロケータとの間の距離のレベルを示す距離情報を決定する距離情報決定部と、
決定された前記距離情報を出力する報知部と、を備える、
無線通信システム。
【請求項１０】
前記ロケータは、
前記ロケータと前記携帯端末との距離が所定値以下であることを条件として鳴動を行う鳴動部、を更に備える、
請求項９に記載の無線通信システム。
【請求項１１】
ロケータから送信された無線信号を無線部において受信するステップと、
受信した前記無線信号の受信信号強度を測定するステップと、
測定した前記受信信号強度に基づいて、前記無線部と前記ロケータとの間の距離のレベルを示す距離情報を決定するステップと、
決定した前記距離情報を出力するステップと、を有する、
ロケータ位置報知方法。
【発明の詳細な説明】
【技術分野】
【０００１】
本発明は、ロケータの位置を探査するための携帯端末、無線通信システム、およびロケータ位置報知方法に関する。
【背景技術】
【０００２】
紛失を防ぎたい物品などに、ロケータを取り付けることが広く行われている。ロケータは、音の出力などによって自己の位置を報知することが可能なデバイスである（例えば、特許文献１参照）。
【０００３】
特許文献１に記載のシステム（以下「従来技術」という）において、ロケータは、携帯端末などから送信される特定の無線信号を受信したときに、その携帯端末との近接性を示す音を出力する。これにより、ユーザは、無線信号の届く範囲（以下「検出エリア」という）内にロケータが位置するか否かを判定することができる。
【先行技術文献】
【特許文献】
【０００４】
【特許文献１】特開平１０−４５２２１号公報
【発明の概要】
【発明が解決しようとする課題】
【０００５】
ところで、ロケータのより具体的な位置を特定すべき場合がある。例えば、ユーザが、ロケータを取り付けた物品を即座に使用したい場合である。しかしながら、上記従来技術では、検出エリア内にロケータが位置するか否かを判別することしかできない。
【０００６】
本発明の目的は、ロケータの位置を容易に特定することができる、携帯端末、無線通信システム、およびロケータ位置報知方法を提供することである。
【課題を解決するための手段】
【０００７】
本開示の携帯端末は、ロケータから送信された無線信号を受信する無線部と、受信された前記無線信号の受信信号強度を決定するＲＳＳＩ検知部と、決定された前記受信信号強度に基づいて、前記無線部と前記ロケータとの間の距離のレベルを示す距離情報を決定する距離情報決定部と、決定された前記距離情報を出力する報知部とを備える。
【０００８】
本開示の無線通信システムは、ロケータと携帯端末とを含む無線通信システムであって、前記ロケータは、無線信号を送信するロケータ無線部を備え、前記携帯端末は、前記ロケータから送信された前記無線信号を受信する無線部と、受信された前記無線信号の受信信号強度を測定するＲＳＳＩ検知部と、測定された前記受信信号強度に基づいて、前記無線部と前記ロケータとの間の距離のレベルを示す距離情報を決定する距離情報決定部と、決定された前記距離情報を出力する報知部とを備える。
【０００９】
本開示のロケータ位置報知方法は、ロケータから送信された無線信号を無線部において受信するステップと、受信した前記無線信号の受信信号強度を測定するステップと、測定した前記受信信号強度に基づいて、前記無線部と前記ロケータとの間の距離のレベルを示す距離情報を決定するステップと、決定した前記距離情報を出力するステップとを有する。
【発明の効果】
【００１０】
本開示の携帯端末、無線通信システム、およびロケータ位置報知方法によれば、ロケータの位置を容易に特定することができる。
【図面の簡単な説明】
【００１１】
【図１】本実施の形態に係る無線通信システムの構成の一例を示すシステム構成図
【図２】本実施の形態に係る親機の構成の一例を示すブロック図
【図３】本実施の形態に係る無線通信システムの通常状態における、親機、携帯端末、および動作の例を示すタイミングチャート
【図４】本実施の形態に係る携帯端末の構成の一例を示すブロック図
【図５】本実施の形態における距離情報テーブルの一例を示す模式図
【図６】本実施の形態におけるロケータ距離とＲＳＳＩ値との関係を示す模式図
【図７】本実施の形態に係るロケータの構成の一例を示すブロック図
【図８】本実施の形態に係る携帯端末の動作の一例を示すフローチャート
【図９】本実施の形態に係るロケータの動作の一例を示すフローチャート
【図１０】本実施の形態に係る携帯端末における距離情報の出力状態の一例を示す模式図
【発明を実施するための形態】
【００１２】
以下、本発明の無線通信システムの一実施の形態として、携帯端末、親機およびロケータから成る親子電話システムについて、図面を参照して詳細に説明する。
【００１３】
まず、本実施の形態に係る無線通信システムの構成について説明する。
【００１４】
図１は、本実施の形態に係る無線通信システムの構成の一例を示すシステム構成図である。
【００１５】
図１において、無線通信システム１０は、親機６００、携帯端末１００、携帯端末７００、およびロケータ４００から構成される。
【００１６】
親機６００は、親機６００と携帯端末１００および携帯端末７００との間の同期の基準となる装置である。携帯端末１００および携帯端末７００は、親機６００の同期基準に従うスレーブ装置である。ロケータ４００は、携帯端末１００（ここでは図中左側の携帯端末１００）の同期基準に従うスレーブ装置である。携帯端末１００は、移動可能な通信端末であり、例えばコードレス電話機の無線ハンドセット、または携帯情報端末（ＰＤＡ）などである。
【００１７】
なお、本実施の形態において、親機６００と携帯端末１００および携帯端末７００との間（実線矢印）では、ＤＥＣＴ（Digital Enhanced Cordless Telecommunications）プロトコルを用いた無線通信が行われるものとする。また、携帯端末１００とロケータ４００との間（破線矢印）では、ＤＥＣＴ用の無線フォーマットを用いた、ロケータ４００用のプロトコルを用いた無線通信が行われるものとする。
【００１８】
また、携帯端末７００の構成は、例えば携帯端末１００の構成と同一である。したがって、以下の説明においては、携帯端末７００についての説明を適宜省略する。
【００１９】
以上で、無線通信システム１０の構成についての説明を終える。
【００２０】
次に、親機６００の構成について説明する。
【００２１】
図２は、親機６００の構成の一例を示すブロック図である。
【００２２】
親機６００は、親機操作部６１１、親機表示部６１２、回線制御部６１３、親機無線部６１４、登録情報記憶部６１５、親機制御部６１６、および親機フレーム処理部６１７を備える。また親機６００は、親機ＲＯＭ（Read Only Memory）６１８、親機ＲＡＭ（Random Access Memory）６１９、親機ＥＥＰＲＯＭ（Electrically Erasable Programmable Read-Only Memory）６２０、親機報知部６２１、親機電源部６２２、および親機クロック生成部６２３を備える。
【００２３】
親機無線部６１４は、携帯端末１００および携帯端末７００との間において、ＴＤＭＡ（Time Division Multiple Access）／ＴＤＤ（Time Division Duplex）の通信プロトコルを用いて無線通信を行う。本実施の形態では、例えばＤＥＣＴプロトコルを用いて無線通信を行う。また親機６００の回線制御部６１３は、有線の電話回線網との間で通信を行う。
【００２４】
親機クロック生成部６２３は、親機６００の中で各部を動作させ、また親機無線部６１４の通信タイミングを決めるための基準クロックを生成する。
【００２５】
親機無線部６１４に設けられた親機同期制御部６１４ａは、親機クロック生成部６２３の基準クロックに基づいて、親機無線部６１４による通信信号の通信タイミングを決定する。
【００２６】
次に、本実施に形態で用いるＴＤＭＡ通信における通信フレームの構成の一例について説明する。
【００２７】
図３は、通常状態における親機６００、携帯端末１００、およびロケータ４００の動作の例を示す。
【００２８】
ＤＥＣＴにおける無線通信は、例えば、図３示すように１０ｍｓｅｃを１フレームとし、１フレームを２４スロットに区切って通信をする時分割方式を用いている。親機６００は制御信号によって親機ＩＤを送信し、携帯端末１００は制御信号を受信しながら親機ＩＤを取得し、待ち受ける親機（登録した親機）のＩＤと比較して同期すべき親機を選択する。なお、携帯端末１００は、待機時では、携帯端末１００から親機６００へ毎フレームで送信することはない。携帯端末１００にて何かイベント（発呼など）が発生したり、通話状態になった場合にのみ、携帯端末１００から親機６００への送信が行われる。その場合、携帯端末１００は、自ら何れかのスロットを選択し、その上りと下りのスロットを使って通信を行う。
【００２９】
親機６００は、常時、フレーム毎にある決まったスロットで制御信号を送信している。同期信号としての役割を持つ制御信号は同期データ（例えばＳｙｎｃｗｏｒｄ）を含む。Ｓｙｎｃｗｏｒｄは、タイミング同期用の予め決定された既知の数字列であり、携帯端末１００が同期するための同期情報となる。受信側は、この既知の数字列を見つけた時点でフレームの切り出しと取り込みを始める。
【００３０】
ＤＥＣＴ方式では、全ての通信に固有のＳｙｎｃｗｏｒｄが割り当てられ、各端末が送信する信号にはそのＳｙｎｃｗｏｒｄが共通して含まれている。後で説明するロケータ用プロトコルにおいても、同期の方法は同じである。携帯端末１００が送信するロケータ呼出信号には、Ｓｙｎｃｗｏｒｄが含まれており、ロケータ４００は、携帯端末１００に同期することができる。
【００３１】
以上で、親機６００の構成についての説明を終える。
【００３２】
次に、携帯端末１００の構成について説明する。
【００３３】
図４は、携帯端末１００の構成の一例を示すブロック図である。
【００３４】
図４において、携帯端末１００は、電源部１１０、クロック生成部１２０、無線部１３０、フレーム処理部１４０、ＲＳＳＩ（Received Signal Strength Indication）検知部１５０、ロケータ情報記憶部１６０、距離情報テーブル格納部１７０、表示部１８０、操作部１９０、ＲＯＭ２００、制御部２１０、ＲＡＭ２２０、ＥＥＰＲＯＭ２３０、および報知部２４０を備える。また、携帯端末１００は、音声通話のための音声増幅器、スピーカおよびマイクロホンなどから成る通話部２５０を備える。
【００３５】
電源部１１０は、携帯端末１００が動作するための電源を供給する。電源部１１０は、例えば、繰り返し充電が可能な電池パックを含む。
【００３６】
クロック生成部１２０は、電源部１１０から供給される電源に基づいて、携帯端末１００の各部が動作するのに用いられるクロック信号を生成する。クロック生成部１２０は、例えば、水晶発振回路を含む。
【００３７】
無線部１３０は、ロケータ（図示せず）から送信された無線信号を受信する。無線部１３０は、例えば、無線アンテナを含む。
【００３８】
無線部１３０に設けられた同期制御部１３１は、クロック生成部１２０の基準クロックに基づいて、無線部１３０による通信信号の通信タイミングを決定する。
【００３９】
フレーム処理部１４０は、その時の動作モードに合うフレーム送信情報を埋め込み、無線部１３０へ渡す。また、フレーム処理部１４０は、親機６００との間で通信を行う場合はＤＥＣＴのフレーム構成を用い、ロケータとの間で通信を行う場合はロケータ用のフレーム構成を用いる。更に、フレーム処理部１４０は、ロケータと通信を行う場合は、ＤＥＣＴ方式をベースに一部をロケータの使用に合わせて変えたロケータ用プロトコルにより通信を行う。
【００４０】
フレーム処理部１４０は、操作部１９０を介して、ユーザから、ロケータの探索を行うモード（以下「ロケータモード」という）の起動操作および終了操作を受け付ける起動操作があったとき、フレーム処理部１４０は、ロケータに対して、応答信号の返信を求めるロケータ呼出信号を送信する。この際、フレーム処理部１４０は、後述のロケータ選択部２１４によって選択されたロケータの識別情報を、ロケータ呼出信号に含める。更に、フレーム処理部１４０は、後述のロケータ動作選択部２１３によって選択されたロケータでの鳴動の有無を指示する指示情報を、ロケータ呼出信号に含める。
【００４１】
ＲＳＳＩ検知部１５０は、ロケータモードにおいて、無線部１３０において受信されたロケータからの無線の応答信号（以下「ロケータ応答信号」という）の、受信信号強度を測定する。
【００４２】
ロケータ情報記憶部１６０は、無線信号の受信の対象となる各ロケータの識別情報（以下「ロケータ情報」という）を、予め格納する。
【００４３】
距離情報テーブル格納部１７０は、距離情報テーブルを予め格納している。距離情報テーブルは、上述の無線信号の受信信号強度と、無線部１３０とロケータとの間の距離のレベルを示す距離情報とを対応付けて記述したテーブルである。距離情報は、無線部１３０とロケータとの間の距離（以下「ロケータ距離」という）のレベルの差異を示す情報である。距離情報は、例えば、画像情報、および音情報に大別される。画像情報は、ロケータ距離のレベルの差異を、テキストあるいは図形の差異により示す情報である。音情報は、ロケータ距離のレベルの差異を音の差異により示す情報である。
【００４４】
図５は、距離情報テーブルの一例を示す模式図である。
【００４５】
図５に示すように、距離情報テーブル３１０は、例えば、受信信号強度であるＲＳＳＩ値３１１に対応付けて、距離レベル３１２、レベル値３１３、レベルメータ３１４、およびビープ音３１５を定義している。距離レベル３１２は、ロケータ距離のレベルであり、テキスト情報として用いられなければ必ずしも必要ではない。レベル値３１３およびレベルメータ３１４は、画像情報である。ビープ音３１５は、音情報である。
【００４６】
ここで、ロケータ距離とＲＳＳＩ値３１１との関係について簡単に説明する。
【００４７】
図６は、ロケータ距離とＲＳＳＩ値３１１との関係を示す模式図である。
【００４８】
ＲＳＳＩ値は、送信電力と周囲環境が一定であるとき、通常、無線電波の発生源からの距離の二乗に反比例する。したがって、ロケータ４００から一定の送信電力で無線信号４０１が送信されているとき、携帯端末１００におけるＲＳＳＩ値は、図６Ａに示すように携帯端末１００がロケータ４００の近くに位置するとき、高い値となる。そして、図６Ｂに示すように携帯端末１００がロケータ４００から少し離れているとき、ＲＳＳＩ値は、中程度の値となる。更に、図６Ｃに示すように携帯端末１００がロケータ４００から遠くに位置するとき、ＲＳＳＩ値は、低い値となる。
【００４９】
このようなロケータ距離とＲＳＳＩ値３１１との間の関係性により、ＲＳＳＩ値からロケータ距離のレベルを推定することが可能である。
【００５０】
図４の表示部１８０は、ロケータ情報記憶部１６０に格納されたロケータ情報を、選択肢として表示する。また、表示部１８０は、距離情報の出力にも用いられ得る。表示部１８０は、例えば、液晶ディスプレイを含む。
【００５１】
操作部１９０は、ユーザから各種操作を受け付ける。操作部１９０は、例えば、上記液晶ディスプレイの表面に配置されたタッチパネルを含む。
【００５２】
ＲＯＭ２００は、制御部２１０が使用する制御プログラムおよび各種データを格納する。
【００５３】
制御部２１０は、クロック生成部１２０において生成されるクロック信号に基づいて動作し、携帯端末１００全体の動作を制御する。制御部２１０は、例えば、ＣＰＵ（Central Processing Unit）を含む。制御部２１０は、ＲＯＭ２００に格納された制御プログラムを実行することにより、例えば、距離情報決定部２１１、出力選択部２１２、ロケータ動作選択部２１３、およびロケータ選択部２１４、の機能を実現する。
【００５４】
距離情報決定部２１１は、距離情報テーブル格納部１７０に格納された距離情報テーブルを参照して、ＲＳＳＩ検知部１５０において測定された受信信号強度に対応する距離情報を決定する。
【００５５】
出力選択部２１２は、操作部１９０を介して、ユーザから、前記距離情報の出力を、画像情報の画面表示によって行うか、音情報の出力によって行うか、または両方によって行うかの選択を受け付ける。
【００５６】
ロケータ動作選択部２１３は、操作部１９０を介して、ユーザから、ロケータ４００において鳴動を行うか否かの選択を受け付け、受け付けた選択を示す指示情報を、フレーム処理部１４０を介して、ロケータ４００へ送信する。
【００５７】
ロケータ選択部２１４は、操作部１９０を介して、ユーザから、識別情報の選択を受け付ける。
【００５８】
ＲＡＭ２２０およびＥＥＰＲＯＭ２３０は、制御部２１０の作業用メモリである。
【００５９】
報知部２４０は、ＲＳＳＩ検知部１５０において測定された受信信号強度に基づいて、出力選択部２１２が受け付けた選択に従って、距離情報を出力する。
【００６０】
なお、後述するが、上述のロケータ呼出信号に対するロケータ応答信号は、そのロケータ呼出信号に含められた識別情報に対応するロケータ４００からのみ返信される。したがって、報知部２４０は、ロケータ選択部２１４により選択されたロケータ４００についての距離情報のみを、出力することになる。
【００６１】
このような携帯端末１００は、無線部１３０と任意のロケータ４００との間の距離（つまり携帯端末１００と任意のロケータ４００との距離）のレベルを、ユーザに報知することができる。したがって、ユーザは、携帯端末１００を持って移動しながら距離のレベルの変化を確認することにより、ロケータ４００が位置する方向とロケータ距離とを容易に特定することができる。すなわち、携帯端末１００を用いることにより、ユーザは、ロケータ４００の位置を容易に特定することができる。
【００６２】
以上で、携帯端末１００の構成についての説明を終える。
【００６３】
次に、ロケータ４００の構成について説明する。図７は、ロケータ４００の構成の一例を示すブロック図である。
【００６４】
図７において、ロケータ４００は、ロケータ電源部４１０、第１クロック生成部４２０、タイマ部４３０、スイッチ４４０、および通信ブロック４５０を備える。通信ブロック４５０は、第２クロック生成部４６０、ロケータ無線部４８０、ロケータフレーム処理部４７０、ロケータＲＯＭ４９０、ロケータ制御部５００、ロケータＲＡＭ５１０、ロケータＥＥＰＲＯＭ５２０、および鳴動部５３０を備える。
【００６５】
ロケータ電源部４１０は、ロケータ４００が動作するための電源を供給する。ロケータ電源部４１０は、例えば、乾電池を含む。
【００６６】
第１クロック生成部４２０は、ロケータ電源部４１０から常時供給される電源に基づいて、タイマ部４３０が動作するのに用いられるクロック信号を生成する。第１クロック生成部４２０は、例えば、水晶発振回路を含む。
【００６７】
タイマ部４３０は、通信ブロック４５０のスリープ期間として予め定められた時間をカウントし、かかる期間が満了するごとに、スイッチ４４０をオフからオンに切り替える。すなわち、第１クロック生成部４２０からタイマ部４３０へ低速クロックが供給され、タイマ部４３０はこの低速クロックによってカウント処理を行う。
【００６８】
タイマ部４３０はそのレジスタ（図示せず）の中にスリープ期間を決める為の値（満了値）を記録している。そして、タイマ部４３０は、スリープ状態の時に第１クロック生成部４２０からのクロックに従ってカウントアップし、そのカウント値が満了値に達することによってカウントを終了する。その際、タイマ部４３０は、スイッチ４４０に対してカウントが終了したことを通知する。
【００６９】
スイッチ４４０は、オン状態にあるとき、通信ブロック４５０をロケータ電源部４１０の電源に接続し、オフ状態にあるとき、通信ブロック４５０をロケータ電源部４１０の電源から遮断する。ロケータ４００は間欠的な受信動作を行っており、所定の周期でスリープ期間から復帰し、所定期間の受信動作をしてスリープに戻るという動作を切り返している。スイッチ４４０は、前述のタイマ部４３０からのカウント終了の通知に従ってオフ状態からオン状態に切り替わり、通信ブロック４５０への電源供給を開始する。
【００７０】
第２クロック生成部４６０は、スイッチ４４０を介してロケータ電源部４１０から供給される電源に基づいて、通信ブロック４５０の各部が動作するのに用いられるクロック信号を生成する。第２クロック生成部４６０は、例えば、水晶発振回路を含む。この第２クロック生成部４６０は、第１クロック生成部４２０の低速クロックよりも速い高速クロックを通信ブロック４５０の各部へ供給し、通信の為の動作はこの高速クロックによって制御される。
【００７１】
ロケータ無線部４８０は、携帯端末１００に対する無線信号を送信する。ロケータ無線部４８０は、例えば、無線アンテナを含む。
【００７２】
ロケータ無線部４８０に設けられたロケータ同期制御部４８１は、第２クロック生成部４６０の基準クロックに基づいて、ロケータ無線部４８０による通信信号の通信タイミングを決定する。
【００７３】
ロケータフレーム処理部４７０は、ロケータ無線部４８０を介して、携帯端末１００との間で通信を行う。ロケータフレーム処理部４７０は、例えば、携帯端末１００との間でＤＥＣＴ（登録商標）通信を行うための通信モジュールを含む。
【００７４】
また、ロケータフレーム処理部４７０は、携帯端末１００から、ロケータ４００自身のロケータ情報が含まれたロケータ呼出信号を受信したとき、ロケータ応答信号を返信する。
【００７５】
ロケータＲＯＭ４９０は、ロケータ制御部５００が使用する制御プログラムおよび各種データを格納する。
【００７６】
ロケータ制御部５００は、第２クロック生成部４６０において生成されるクロック信号に基づいて動作し、通信ブロック４５０全体の動作を制御する。ロケータ制御部５００は、例えば、ＣＰＵを含む。ロケータ制御部５００は、ロケータＲＯＭ４９０に格納された制御プログラムを実行することにより、例えば、鳴動コントロール部５０１の機能を実現する。
【００７７】
鳴動コントロール部５０１は、フレーム処理部１４０を介して、携帯端末１００からロケータ呼出信号に含めて送信された指示情報を受信する。そして、鳴動コントロール部５０１は、受信した指示情報に従って、鳴動部５３０の動作を制御する。
【００７８】
ロケータＲＡＭ５１０およびロケータＥＥＰＲＯＭ５２０は、ロケータ制御部５００の作業用メモリである。
【００７９】
鳴動部５３０は、ロケータ４００の位置を報知するための鳴動を行う。鳴動部５３０は、例えば、小型スピーカを含む。
【００８０】
このようなロケータ４００は、携帯端末１００から自己宛のロケータ呼出信号を受信したとき、無線のロケータ応答信号を返信することができる。このロケータ応答信号は、携帯端末１００側で受信信号強度の測定に用いられることになる。すなわち、ロケータ４００は、携帯端末１００に対して、距離情報の出力に必要な情報を与えることができる。
【００８１】
また、通信ブロック４５０のオンオフを制御する機能部を備えているので、ロケータ４００は、通信ブロック４５０の稼動を必要なときにのみ制限することができ、消費電力を抑えることができる。
【００８２】
また、ロケータ４００は、スリープ期間中は、速度が遅い低速クロックによってカウント処理を行い、通信の為の高速クロックを作る第２クロック生成部４６０は動作させないようにすることができる。これにより、ロケータ４００は、消費電力をより抑えることができる。
【００８３】
以上で、ロケータ４００の構成についての説明を終える。
【００８４】
以上のような各装置の構成により、携帯端末１００は、ロケータ４００との間でロケータ用プロトコルにより無線通信を行う。ロケータ４００はマスタである携帯端末１００からのロケータ呼出信号（同期信号）に応じて同期し、ロケータ呼出信号の受信タイミングに応じて、通信タイミングを補正する。
【００８５】
次に、携帯端末１００の動作について説明する。ここでは、距離情報の出力手法の選択、ロケータで鳴動の有無の選択、およびロケータの選択の処理については、既に完了しているものとし、その説明を省略する。
【００８６】
図８は、携帯端末１００の動作の一例を示すフローチャートである。
【００８７】
まず、ステップＳ１０１０において、電源が投入されて動作を開始した携帯端末１００の制御部２１０は、電話モードを起動する。制御部２１０は、無線部１３０に指示を出して親機６００からの制御信号を受信させ、携帯端末１００を親機６００の待ち受け状態に制御する。
【００８８】
なお、電話モードは、親子電話システムにおいて親機６００と携帯端末１００は無線による音声通話を行うためのモードである。携帯端末１００は、電話モードにあるとき、親機６００を介して、公衆電話回線網でつながった他の電話機と通話を行うことができる。なお、電話機能に関する機能部は、通話部２５０だけでなく、ロケータ４００との通信に関する機能部と兼用であってもよい。
【００８９】
そして、ステップＳ１０２０において、フレーム処理部１４０は、ロケータモードの起動操作があったか否かを判断する。フレーム処理部１４０は、ロケータモードの起動操作がない場合（Ｓ１０２０：ＮＯ）、後述のステップＳ１１２０へ進む。また、フレーム処理部１４０は、ロケータモードの起動操作があった場合（Ｓ１０２０：ＹＥＳ）、ステップＳ１０３０へ進む。また、この際、フレーム処理部１４０は、タイマ（図示せず）を起動し、ロケータモード起動操作からの経過時間のカウントを開始する。
【００９０】
ステップＳ１０３０において、フレーム処理部１４０は、ロケータ呼出信号を送信する。
【００９１】
そして、ステップＳ１０４０において、フレーム処理部１４０は、ロケータ４００からの応答（ロケータ応答信号）があったか否かを判断する。フレーム処理部１４０は、応答がない場合（Ｓ１０４０：ＮＯ）、ステップＳ１０５０へ進む。また、フレーム処理部１４０は、応答があった場合（Ｓ１０４０：ＹＥＳ）、ステップＳ１０６０へ進む。
【００９２】
ステップＳ１０５０において、フレーム処理部１４０は、タイマのカウント時間が所定の値に到達（タイマ満了）したか否かを判断する。フレーム処理部１４０は、タイマがまだ満了していない場合（Ｓ１０５０：ＮＯ）、ステップＳ１０３０へ戻って、ロケータ呼出信号の送信とその応答待機を繰り返す。また、フレーム処理部１４０は、応答がないままタイマが満了となった場合（Ｓ１０５０：ＹＥＳ）、後述のステップＳ１１１０へ進む。
【００９３】
前述のように、ロケータ４００は、間欠的な受信動作を行っており、所定の周期でスリープ期間から復帰し、所定期間の受信動作をしてスリープ状態に戻ると言う動作を切り返している。携帯端末１００のフレーム処理部１４０がロケータ呼出信号を繰り返し送信するのは、携帯端末１００はロケータ４００がスリープ期間から復帰するタイミングを把握できないためである。そして、携帯端末１００のフレーム処理部１４０がロケータ呼出信号を繰り返し送信するのは、ロケータ４００が受信動作を行っている間にロケータ呼出信号を受信させる可能性を上げるためである。したがって、携帯端末１００のフレーム処理部１４０のタイマ長さは、ロケータ４００のタイマ部４３０のタイマ長さよりも長いことが望ましい。
【００９４】
ステップＳ１０６０において、フレーム処理部１４０は、ロケータ呼出信号を送信する。
【００９５】
そして、ステップＳ１０７０において、ＲＳＳＩ検知部１５０は、ロケータ４００の応答信号から、受信信号強度であるＲＳＳＩ値を測定する。
【００９６】
そして、ステップＳ１０８０において、距離情報決定部２１１は、距離テーブル（図５参照）を参照して、測定されたＲＳＳＩ値に対応する距離情報を決定する。
【００９７】
そして、ステップＳ１０９０において、報知部２４０は、選択された、距離情報の出力手法の選択およびロケータ４００の選択に従って、ＲＳＳＩ値に対応する距離情報を出力する。
【００９８】
そして、ステップＳ１１００において、フレーム処理部１４０は、ロケータモードの終了操作があったか否かを判断する。フレーム処理部１４０は、ロケータモードの終了操作がない場合（Ｓ１１００：ＮＯ）、ステップＳ１０６０に戻ってロケータ呼出信号の送信および距離情報の出力を繰り返す。また、フレーム処理部１４０は、ロケータモードの終了操作があった場合（Ｓ１１００：ＹＥＳ）、ステップＳ１１１０へ進む。
【００９９】
ステップＳ１１１０において、携帯端末１００は、ロケータモードの終了処理を行い、次いで電話モードの起動処理を行う。
【０１００】
そして、ステップＳ１１２０において、フレーム処理部１４０は、ユーザ操作などにより処理の終了が指示されたか否かを判断する。フレーム処理部１４０は、処理の終了が指示されていない場合（Ｓ１１２０：ＮＯ）、ステップＳ１０２０へ戻る。また、フレーム処理部１４０は、処理の終了が指示された場合（Ｓ１１２０：ＹＥＳ）、一連の処理を終了する。
【０１０１】
このような動作により、携帯端末１００は、ロケータ距離のレベルを、適切な手法でユーザに報知することができる。
【０１０２】
以上で、携帯端末１００の動作についての説明を終了する。
【０１０３】
次に、ロケータ４００の動作について説明する。
【０１０４】
図９は、ロケータ４００の動作の一例を示すフローチャートである。
【０１０５】
まず、ステップＳ２０１０において、タイマ部４３０は、スイッチ４４０を制御して通信ブロック４５０への電源供給をオンにし、間欠受信の動作を開始する。前述のようにロケータ４００は、所定の周期で所定期間の受信動作をし、この受信動作中はロケータフレーム処理部４７０がタイマ（図示せず）を起動し、通信ブロック４５０の受信開始からの経過時間のカウントを開始する。ロケータ４００は、この受信動作の中で、携帯端末１００からのロケータ呼出信号を受信するための動作を行う。
【０１０６】
そして、ステップＳ２０２０において、ロケータフレーム処理部４７０は、ロケータ４００自身のロケータ情報（自ＩＤ）が含まれたロケータ呼出信号を受信したか否かを判断する。ロケータフレーム処理部４７０は、自ＩＤが含まれたロケータ呼出信号を受信していない場合（Ｓ２０２０：ＮＯ）、ステップＳ２０３０へ進む。また、ロケータフレーム処理部４７０は、自ＩＤが含まれたロケータ呼出信号を受信した場合（Ｓ２０２０：ＹＥＳ）、ステップＳ２０４０へ進む。
【０１０７】
ステップＳ２０３０において、ロケータフレーム処理部４７０は、タイマのカウント時間が所定の値に到達（受信タイマ満了）したか否かを判断する。ロケータフレーム処理部４７０は、タイマがまだ満了していない場合（Ｓ２０３０：ＮＯ）、ステップＳ２０２０へ戻って、自ＩＤが含まれたロケータ呼出信号の受信の待機を継続する。また、ロケータフレーム処理部４７０は、自ＩＤが含まれたロケータ呼出信号の受信がないままタイマが満了した場合（Ｓ２０３０：ＹＥＳ）、後述のステップＳ２１００へ進む。
【０１０８】
ステップＳ２０４０において、ロケータフレーム処理部４７０は、送受信タイミングの切り替えを行い、ＴＤＭＡ同期を確立する。前述のように、携帯端末１００が送信するロケータ呼出信号は、Ｓｙｎｃｗｏｒｄを含んでおり、ロケータを同期させる為の同期信号としての役割を持つ。ロケータ用プロトコルでは、ロケータ４００は、携帯端末１００が送信するロケータ呼出信号により、携帯端末１００に同期する。
【０１０９】
そして、ステップＳ２０５０において、鳴動コントロール部５０１は、受信したロケータ呼出信号が、ロケータ４００で鳴動しないことを示す指示情報を含むもの（消音呼出）か否かを判断する。鳴動コントロール部５０１は、受信したロケータ呼出信号が消音呼出ではない場合（Ｓ２０５０：ＮＯ）、ステップＳ２０６０へ進む。また、鳴動コントロール部５０１は、受信したロケータ呼出信号が消音呼出である場合（Ｓ２０５０：ＹＥＳ）、後述のステップＳ２０７０へ進む。
【０１１０】
ステップＳ２０６０において、鳴動コントロール部５０１は、鳴動部５３０に対し、鳴動を開始させる。なお、ステップＳ２０６０を経ない場合、鳴動部５３０の鳴動は開始されないことになる。
【０１１１】
次に、ステップＳ２０７０において、ロケータフレーム処理部４７０は、ロケータ呼出信号に対する応答を意味する応答信号を送信する。そしてロケータ４００は、電源供給開始後、所定期間の間は受信動作を続け、ステップＳ２０７０〜Ｓ２０９０の処理を継続する。
【０１１２】
すなわちステップＳ２０８０において、ロケータフレーム処理部４７０は、ロケータ呼出信号の受信を行う。そして、ステップＳ２０９０において、ロケータフレーム処理部４７０は、ロケータ呼出信号の連続受信エラーが発生したか否かを判断する。
【０１１３】
ロケータフレーム処理部４７０は、連続受信エラーが発生していない場合（Ｓ２０９０：ＮＯ）、ステップＳ２０５０へ戻り、応答信号の送信とロケータ呼出信号の受信を繰り返す。また、ロケータフレーム処理部４７０は、連続受信エラーが発生した場合（Ｓ２０９０：ＹＥＳ）、ステップＳ２１００へ進む。なお、ロケータ呼出信号がそもそも送信されていないことによって受信されない場合も、ロケータフレーム処理部４７０は、連続受信エラーと同様に判断し、ステップＳ２１００へ進む。
【０１１４】
ステップＳ２１００において、ロケータ制御部５００は、タイマ部４３０を起動させるとともに、ロケータ４００をスリープ状態に遷移させる。この結果、タイマ部４３０は第１クロック生成部４２０からの低速クロックをカウントする処理を開始するとともに、スイッチ４４０をオフにし、通信ブロック４５０への電源供給をオフにする。
【０１１５】
そして、ステップＳ２１１０において、タイマ部４３０は、カウント時間がスリープ期間の長さとして予め設定された値に到達（タイマ満了）したか否かを判断する。タイマ部４３０は、タイマがまだ満了となっていない場合（Ｓ２１１０：ＮＯ）、タイマの確認を繰り返す。この結果、スリープ状態が継続される。
【０１１６】
ユーザ操作などにより処理の終了が指示される前にタイマが満了となった場合（Ｓ２１１０：ＹＥＳ）、タイマ部４３０は、ステップＳ２０１０へ進み、通信ブロック４５０への電源供給をオンにする。この結果、ロケータ４００の通信ブロック４５０は、受信の動作を開始する。また、タイマ部４３０は、通信ブロック４５０の動作中に（タイマが満了となる前に）ユーザ操作などにより処理の終了が指示された場合、一連の処理を終了する。
【０１１７】
このような動作により、ロケータ４００は、携帯端末１００から自己宛のロケータ呼出信号を受信したとき、応答信号を返信することができる。
【０１１８】
また、ロケータ４００は、携帯端末１００より、ＩＤ情報に基づいて、そのロケータ４００に対してのみ送られるロケータ呼出信号を区別することができる。そして、ロケータ４００は、該当するロケータ呼出信号が消音呼出であるか否かを判断することにより、携帯端末１００からの指示に従って鳴動をオンオフすることができる。
【０１１９】
例えば、携帯端末１００側でロケータ鳴動をオフにする設定を行ったとする。この場合、携帯端末１００は、呼び出し対象のロケータ４００に対して、当該ロケータ固有のＩＤ情報を含んだロケータ呼出信号を送信する。そして、その際、携帯端末１００は、そのロケータ呼出信号が「消音呼出」であることを意味する情報を、そのロケータ呼出信号に含めて送信する。
【０１２０】
これにより、携帯端末１００は、ロケータ４００に対して、そのロケータ４００が呼び出された場合でも応答信号を返信するのみで鳴動しないように制御することができる。したがって、ユーザは、状況に応じて、ロケータ４００に鳴動させないまま、ロケータ４００を探すことができる。
【０１２１】
以上で、ロケータ４００の動作についての説明を終える。
【０１２２】
次に、携帯端末１００における距離情報の出力状態について説明する。図１０は、携帯端末１００における距離情報の出力状態の一例を示す模式図である。図１０Ａは、ロケータ距離が短い場合の例である。図１０Ｂは、ロケータ距離が中程度の場合の例である。図１０Ｃは、ロケータ距離が長い場合の例である。
【０１２３】
図１０Ａ〜図１０Ｃに示すように、携帯端末１００は、例えば、距離情報を、画面表示７１０および音７２０により出力する。携帯端末１００は、画面表示７１０において、例えば、ロケータ情報７１１、ＲＳＳＩ値７１２、およびレベルメータ７１３を表示する。
【０１２４】
図１０Ａの例では、ロケータ情報７１１として「Ｌｏｃａｔｏｒ１」と表示し、ＲＳＳＩ値７１２として「８６」と表示している。図１０Ｂの例では、ロケータ情報７１１として「Ｌｏｃａｔｏｒ１」と表示し、ＲＳＳＩ値７１２として「４２」と表示している。また図１０の例では、横バーの長さおよび本数を変化させるレベルメータ７１３により、ロケータ４００までの距離を視覚的に表している。
【０１２５】
また、携帯端末１００は、音７２０において、ビープ音を鳴動させる。携帯端末１００は、図１０Ａの例では、０.２秒毎にビープ音を鳴動させ、図１０Ｂの例では、０.５秒毎にビープ音を鳴動させ、図１０Ｃの例では、１.０秒毎にビープ音を鳴動させる。なお、以上のように出力される距離情報の内容は、距離情報テーブル（図５参照）で定義された内容に基づいている。すなわち、携帯端末１００は、ロケータ距離のレベルを示す距離情報を出力する。
【０１２６】
このような情報出力が行われることにより、ユーザは、携帯端末１００を持って移動しながら距離のレベルの変化を確認することにより、ロケータ４００が位置する方向とロケータ距離とを容易に特定することができる。
【０１２７】
なお、携帯端末１００の報知部２４０は、ユーザから、ロケータ４００において鳴動を行わない選択を受け付けた状態では、距離のレベルの差異を示す音情報を出力しないようにしてもよい。すなわち、携帯端末１００は、距離情報の出力を、画像情報のみを用いて、距離のレベルを表すようにしてもよい。これにより、ユーザは、状況に応じて、ロケータ４００だけでなく携帯端末１００にも鳴動させないまま、ロケータ４００を探すことができる。
【０１２８】
以上説明したように、本実施の形態に係る無線通信システム１０は、携帯端末１００側で、ロケータ４００から送信された無線信号の受信信号強度を測定し、その測定結果に基づき、距離情報を決定して出力する。これにより、ユーザは、移動しながら距離情報の変化を確認することにより、移動方向とロケータ距離の変化とを関連付けることができる。これにより、ユーザは、ロケータ４００が検出エリア内に位置するか否かだけでなく、ロケータ４００が位置する方向を容易に特定して、ロケータ４００に近付くことができる。すなわち、本実施の形態に係る無線通信システム１０は、ユーザに対して、ロケータ４００の位置を容易に特定することを可能にする。
【０１２９】
また、本実施の形態に係る無線通信システム１０は、ロケータ４００での鳴動をオフにし、距離情報の出力手法に音を用いないようにすることができる。すなわち、本実施の形態に係る無線通信システム１０では、携帯端末１００側でロケータ鳴動をオフにする設定をすると、呼び出し対象のロケータに対しては「消音呼出」であることを意味する情報を含めたロケータ呼出信号を送信する。そして、ロケータ４００はこの「消音呼出」に応じて鳴動をオフする。これにより、本実施の形態に係る無線通信システム１０によれば、音を鳴動させることなくロケータ４００の位置を特定することが可能となる。
【０１３０】
また、本実施の形態に係る無線通信システム１０は、距離情報の出力手法を、画面表示と出力とから選択することができるとともに、ロケータ４００での鳴動のオンオフを選択することができる。これにより、周囲環境やユーザの状況により適した状態で、ロケータ４００の位置を特定することが可能となる。
【０１３１】
また、本実施の形態に係る無線通信システム１０は、距離情報としてＲＳＳＩ値を表示する場合、ロケータ距離の変化が良く表れるため、特にロケータ距離が短い場合に、ロケータ４００の位置を特定し易くすることができる。
【０１３２】
また、本実施の形態に係る無線通信システム１０は、距離情報としてレベル値やレベルメータを表示する場合、ロケータ距離の変化を直感的に捉え易くすることができる。したがって、本実施の形態に係る無線通信システム１０は、距離情報としてレベル値やレベルメータを表示する場合、特にロケータ距離が長い状態において、ロケータ４００の位置を特定し易くすることができる。
【０１３３】
また、本実施の形態に係る無線通信システム１０は、距離情報として音を出力する場合、ロケータ距離の変化を直感的に捉え易くするだけなく、画面を見る必要がなくなるため、ロケータ４００の位置を素早く特定することを可能にする。
【０１３４】
なお、携帯端末１００のロケータ動作選択部２１３は、ロケータ距離が所定値以下であることを条件として（つまり、ＲＳＳＩ値が所定値以上であることを条件として）、鳴動を行うことを選択するようにしてもよい。なお、この場合、ロケータ４００の鳴動部５３０は、ロケータ距離が所定値以下であることを条件として鳴動を行うということになる。
【０１３５】
通常、ロケータ４００が遠くに位置する場合、鳴動を行っても携帯端末１００のユーザには聞こえないことがある。したがって、このように、近くにあるときに限定してロケータ４００での鳴動を行うことにより、無駄な鳴動を抑えることができ、周囲の音環境に配慮しかつロケータ４００の消費電力を抑えたシステムとすることができる。
【０１３６】
以上のように、本開示の携帯端末は、ロケータから送信された無線信号を受信する無線部と、受信された前記無線信号の受信信号強度を測定するＲＳＳＩ検知部と、測定された前記受信信号強度に基づいて、前記無線部と前記ロケータとの間の距離のレベルを示す距離情報を決定する距離情報決定部と、決定された前記距離情報を出力する報知部とを備える。
【０１３７】
このような携帯端末は、ロケータまでの距離のレベルを示す距離情報を出力することができるので、ユーザがロケータの位置を容易に特定することを可能にする。
【０１３８】
また、上記携帯端末は、前記受信信号強度と前記距離情報とを対応付けた距離情報テーブルを格納する距離情報テーブル格納部、を更に備え、前記距離情報決定部は、前記距離情報テーブルを参照して、測定された前記受信信号強度に対応する前記距離情報を決定してもよい。
【０１３９】
このような携帯端末は、適切な距離情報を出力することができるので、ユーザがロケータの位置を更に容易に特定することを可能にする。
【０１４０】
また、上記携帯端末において、距離情報は、前記距離のレベルの差異をテキストあるいは図形の差異により示す画像情報であり、前記報知部は、前記画像情報を画面に表示してもよい。
【０１４１】
このような携帯端末は、距離のレベルの差異をテキストあるいは図形の差異で出力することができるので、音情報がなくてもユーザがロケータの位置を容易に特定することを可能にする。
【０１４２】
また、上記携帯端末において、前記距離情報は、前記距離のレベルの差異を音声の差異により示す音情報であり、前記報知部は、前記音情報を出力してもよい。
【０１４３】
このような携帯端末は、距離のレベルの差異を音の差異で出力することができるので、画像情報がなくてもユーザがロケータの位置を容易に特定することを可能にする。
【０１４４】
また、上記携帯端末において、前記距離情報は、前記距離のレベルの差異をテキストあるいは図形の差異により示す画像情報と、前記距離のレベルの差異を音声の差異により示す音情報と、を含んでもよい。そして、上記携帯端末は、ユーザから操作を受け付ける操作部と、前記操作部を介して、前記ユーザから、前記距離情報の出力を、前記画像情報の画面表示によって行うか、音情報の出力によって行うか、または両方によって行うかの選択を受け付ける出力選択部を更に備え、前記報知部は、前記出力選択部が受け付けた選択に従って前記距離情報を出力してもよい。
【０１４５】
このような携帯端末は、周囲環境やユーザ状況などの条件に適した手法で距離情報の出力を行うことができるので、各種条件による制約を抑えた状態で、ユーザがロケータの位置を容易に特定することを可能にする。
【０１４６】
また、上記携帯端末は、ユーザから操作を受け付ける操作部と、前記操作部を介して、ユーザから、前記ロケータにおいて鳴動を行うか否かの選択を受け付け、受け付けた前記選択を示す指示情報を、前記フレーム処理部を介して、前記ロケータへ送信するロケータ動作選択部と、を更に備えてもよい。
【０１４７】
このような携帯端末は、周囲の音環境が大きい場合にはロケータ鳴動をオフにし、それ以外ではロケータ鳴動を補助的に用いることができるので、周囲の音環境に配慮した状態で、ユーザがロケータの位置を容易に特定することを可能にする。
【０１４８】
また、上記携帯端末において、前記報知部は、ユーザから前記ロケータにおいて鳴動を行わない選択を受け付けた状態では、前記報知部は前記距離のレベルの差異を示す音情報を出力しないようにしてもよい。
【０１４９】
このような携帯端末は、携帯端末を鳴動させずにロケータの距離情報を出力することができるので、周囲の音環境に配慮した状態で、ユーザがロケータの位置を容易に特定することを可能にする。
【０１５０】
また、上記携帯端末は、前記ロケータの識別情報を予め格納するロケータ情報記憶部と、格納された前記識別情報の選択肢を表示する表示部と、ユーザから操作を受け付ける操作部と、前記操作部を介して、前記ユーザから、前記識別情報の選択を受け付けるロケータ選択部とを更に備え、前記報知部は、選択された前記ロケータについての前記距離情報を出力してもよい。
【０１５１】
このような携帯端末は、ロケータを任意に指定して距離情報を出力することができるので、ロケータが複数存在する場合でも、ユーザが個々のロケータの位置を容易に特定することを可能にする。
【０１５２】
本開示に係る無線通信システムは、ロケータと携帯端末とを含む無線通信システムであって、前記ロケータは、無線信号を送信するロケータ無線部を備え、前記携帯端末は、前記ロケータから送信された前記無線信号を受信する無線部と、受信された前記無線信号の受信信号強度を測定するＲＳＳＩ検知部と、測定された前記受信信号強度に基づいて、前記無線部と前記ロケータとの間の距離のレベルを示す距離情報を決定する距離情報決定部と、決定された前記距離情報を出力する報知部とを備える。
【０１５３】
このような無線通信システムは、携帯端末から、ロケータまでの距離のレベルを示す距離情報を出力することができるので、ユーザがロケータの位置を容易に特定することを可能にする。
【０１５４】
また、上記無線通信システムにおいて、前記ロケータは、前記ロケータと前記携帯端末との距離が所定値以下であることを条件として鳴動を行う鳴動部を更に備えてもよい。
【０１５５】
このような無線通信システムは、ユーザに聞こえないような無駄な鳴動を抑えることができるので、周囲の音環境に配慮しつつロケータでの消費電力を抑えた状態で、ユーザがロケータの位置を容易に特定することを可能にする。
【０１５６】
本開示に係るロケータ位置報知方法は、ロケータから送信された無線信号を無線部において受信するステップと、受信した前記無線信号の受信信号強度を測定するステップと、測定した前記受信信号強度に基づいて、前記無線部と前記ロケータとの間の距離のレベルを示す距離情報を決定するステップと、決定した前記距離情報を出力するステップとを有する。
【０１５７】
このようなロケータ位置報知方法は、携帯端末から、ロケータまでの距離のレベルを示す距離情報を出力することができるので、ユーザがロケータの位置を容易に特定することを可能にする。
【産業上の利用可能性】
【０１５８】
本発明は、ロケータの位置を容易に特定することができる、携帯端末、無線通信システム、およびロケータ位置報知方法として有用である。
【符号の説明】
【０１５９】
１０  無線通信システム
１００、７００  携帯端末
１１０  電源部
１２０  クロック生成部
１３０  無線部
１３１  同期制御部
１４０  フレーム処理部
１５０  ＲＳＳＩ検知部
１６０  ロケータ情報記憶部
１７０  距離情報テーブル格納部
１８０  表示部
１９０  操作部
２００  ＲＯＭ
２１０  制御部
２１１  距離情報決定部
２１２  出力選択部
２１３  ロケータ動作選択部
２１４  ロケータ選択部
２２０  ＲＡＭ
２３０  ＥＥＰＲＯＭ
２４０  報知部
２５０  通話部
４００  ロケータ
４１０  ロケータ電源部
４２０  第１クロック生成部
４３０  タイマ部
４４０  スイッチ
４５０  通信ブロック
４６０  第２クロック生成部
４７０  ロケータフレーム処理部
４８０  ロケータ無線部
４８１  ロケータ同期制御部
４９０  ロケータＲＯＭ
５００  ロケータ制御部
５１０  ロケータＲＡＭ
５２０  ロケータＥＥＰＲＯＭ
５３０  鳴動部
６００  親機
６１１  親機操作部
６１２  親機表示部
６１３  回線制御部
６１４  親機無線部
６１４ａ  親機同期制御部
６１５  登録情報記憶部
６１６  親機制御部
６１７  親機フレーム処理部
６１８  親機ＲＯＭ
６１９  親機ＲＡＭ
６２０  親機ＥＥＰＲＯＭ
６２１  親機報知部
６２２  親機電源部
６２３  親機クロック生成部
【図１】
2014077699.tif 000003
【図２】
2014077699.tif 000004
【図３】
2014077699.tif 000005
【図４】
2014077699.tif 000006
【図５】
2014077699.tif 000007
【図６】
2014077699.tif 000008
【図７】
2014077699.tif 000009
【図８】
2014077699.tif 000010
【図９】
2014077699.tif 000011
【図１０】
2014077699.tif 000012
【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
親機と各携帯端末との間で無線通信を行う親子電話システムの携帯端末であって、
前記親機から送信された所定の無線フォーマットを用いた第１の無線信号を受信すると共に、ロケータから送信された前記所定の無線フォーマットと同一の無線フォーマットを用いた第２の無線信号を受信する無線部と、
受信された前記第２の無線信号の受信信号強度を測定する検知部と、
測定された前記受信信号強度に基づいて、前記無線部と前記ロケータとの間の距離のレベルを示す距離情報を決定する距離情報決定部と、
決定された前記距離情報を出力する報知部と、を備える、
携帯端末。
【請求項２】
前記受信信号強度のレベルと前記距離情報とを対応付けた距離情報テーブルを格納する距離情報テーブル格納部、を更に備え、
前記距離情報決定部は、
前記距離情報テーブルを参照して、測定された前記受信信号強度に対応する前記距離情報を決定する、
請求項１記載の携帯端末。
【請求項３】
前記距離情報は、前記距離のレベルの差異をテキストあるいは図形の差異により示す画像情報であり、
前記報知部は、
前記画像情報を画面に表示する、
請求項２記載の携帯端末。
【請求項４】
前記距離情報は、前記距離のレベルの差異を音声の差異により示す音情報であり、
前記報知部は、
前記音情報を出力する、
請求項２記載の携帯端末。
【請求項５】
前記距離情報は、前記距離のレベルの差異をテキストあるいは図形の差異により示す画像情報と、前記距離のレベルの差異を音声の差異により示す音情報と、を含み、
ユーザから操作を受け付ける操作部と、
前記操作部を介して、前記ユーザから、前記距離情報の出力を、前記画像情報の画面表示によって行うか、前記音情報の出力によって行うか、または両方によって行うかの選択を受け付ける出力選択部、を更に備え、
前記報知部は、
前記出力選択部が受け付けた選択に従って前記距離情報を出力する、
請求項２記載の携帯端末。
【請求項６】
ユーザから操作を受け付ける操作部と、
前記操作部を介して、ユーザから、前記ロケータにおいて鳴動を行うか否かの選択を受け付け、受け付けた前記選択を示す指示情報を、前記無線部を介して、前記ロケータへ送信するロケータ動作選択部と、を更に備える、
請求項１から請求項５のいずれかに記載の携帯端末。
【請求項７】
前記報知部は、
ユーザから前記ロケータにおいて鳴動を行わない選択を受け付けた状態では、前記距離のレベルの差異を示す音情報を出力しない、
請求項６記載の携帯端末。
【請求項８】
前記ロケータの識別情報を予め格納するロケータ情報記憶部と、
格納された前記識別情報の選択肢を表示する表示部と、
ユーザから操作を受け付ける操作部と、
前記操作部を介して、前記ユーザから、前記識別情報の選択を受け付けるロケータ選択部と、を更に備え、
前記報知部は、
選択された前記識別情報に対応する前記ロケータについての前記距離情報を出力する、
請求項１から請求項５のいずれかに記載の携帯端末。
【請求項９】
親機と各携帯端末との間で無線通信を行う親子電話システムにロケータを含む無線通信システムであって、
前記親機は、所定の無線フォーマットを用いて第１の無線信号を送信する親機無線部を備え、
前記ロケータは、前記所定の無線フォーマットと同一の無線フォーマットを用いて第２の無線信号を送信するロケータ無線部を備え、
前記携帯端末は、
前記親機から送信された前記第１の無線信号を受信すると共に前記ロケータから送信された前記第２の無線信号を受信する無線部と、
受信された前記第２の無線信号の受信信号強度を測定する検知部と、
測定された前記受信信号強度に基づいて、前記無線部と前記ロケータとの間の距離のレベルを示す距離情報を決定する距離情報決定部と、
決定された前記距離情報を出力する報知部と、を備える、
無線通信システム。
【請求項１０】
前記ロケータは、
前記ロケータと前記携帯端末との距離が所定値以下であることを条件として鳴動を行う鳴動部、を更に備える、
請求項９に記載の無線通信システム。
【請求項１１】
親機と各携帯端末との間で無線通信を行う親子電話システムの携帯端末におけるロケータ位置報知方法であって、
前記親機から送信された所定の無線フォーマットを用いた第１の無線信号を無線部において受信するステップと、
ロケータから送信された前記所定の無線フォーマットと同一の無線フォーマットを用いた第２の無線信号を前記無線部において受信するステップと、
受信した前記第２の無線信号の受信信号強度を測定するステップと、
測定した前記受信信号強度に基づいて、前記無線部と前記ロケータとの間の距離のレベルを示す距離情報を決定するステップと、
決定した前記距離情報を出力するステップと、を有する、
ロケータ位置報知方法。
【手続補正２】
【補正対象書類名】明細書
【補正対象項目名】０００７
【補正方法】変更
【補正の内容】
【０００７】
本開示の携帯端末は、親機と各携帯端末との間で無線通信を行う親子電話システムの携帯端末であって、前記親機から送信された所定の無線フォーマットを用いた第１の無線信号を受信すると共に、ロケータから送信された前記所定の無線フォーマットと同一の無線フォーマットを用いた第２の無線信号を受信する無線部と、受信された前記第２の無線信号の受信信号強度を測定する検知部と、測定された前記受信信号強度に基づいて、前記無線部と前記ロケータとの間の距離のレベルを示す距離情報を決定する距離情報決定部と、決定された前記距離情報を出力する報知部とを備える。
【手続補正３】
【補正対象書類名】明細書
【補正対象項目名】０００８
【補正方法】変更
【補正の内容】
【０００８】
本開示の無線通信システムは、親機と各携帯端末との間で無線通信を行う親子電話システムにロケータを含む無線通信システムであって、前記親機は、所定の無線フォーマットを用いて第１の無線信号を送信する親機無線部を備え、前記ロケータは、前記所定の無線フォーマットと同一の無線フォーマットを用いて第２の無線信号を送信するロケータ無線部を備え、前記携帯端末は、前記親機から送信された前記第１の無線信号を受信すると共に前記ロケータから送信された前記第２の無線信号を受信する無線部と、受信された前記第２の無線信号の受信信号強度を測定する検知部と、測定された前記受信信号強度に基づいて、前記無線部と前記ロケータとの間の距離のレベルを示す距離情報を決定する距離情報決定部と、決定された前記距離情報を出力する報知部とを備える。
【手続補正４】
【補正対象書類名】明細書
【補正対象項目名】０００９
【補正方法】変更
【補正の内容】
【０００９】
本開示のロケータ位置報知方法は、親機と各携帯端末との間で無線通信を行う親子電話システムの携帯端末におけるロケータ位置報知方法であって、前記親機から送信された所定の無線フォーマットを用いた第１の無線信号を無線部において受信するステップと、ロケータから送信された前記所定の無線フォーマットと同一の無線フォーマットを用いた第２の無線信号を前記無線部において受信するステップと、受信した前記第２の無線信号の受信信号強度を測定するステップと、測定した前記受信信号強度に基づいて、前記無線部と前記ロケータとの間の距離のレベルを示す距離情報を決定するステップと、決定した前記距離情報を出力するステップとを有する。